(57)【要約】      （修正有）【課題】印刷データを複数枚の用紙に分割印刷する際に、印刷装置の機能であるフチなしでの印刷を利用して用紙全面に印刷することで余白カットの手間を省くとともに使用する用紙の実際の寸法に合わせた印刷データを印刷装置に送信することで、正確に結合できるポスター印刷を可能とする技術を提供する。【解決手段】印刷装置と用紙の組み合わせによる規定サイズとの誤差を測定可能とする技術を用いて、実際の用紙寸法を連結して作成したキャンバスに文字や画像をレイアウトし、印刷時には実際の用紙寸法にあわせた印刷データを印刷装置に送信する。【選択図】図１１
2018176560.tif 000002
【特許請求の範囲】
【請求項１】
印刷装置に対して印刷指示を与えられる情報処理装置であって、前記印刷装置に備わった用紙サイズを指定するが、印刷に使用する用紙の実際の寸法で単位ページを構成し、基準となるＸ座標軸から右方向に１枚以上及びＹ座標軸から下方向に１枚以上を隣接して配置したキャンバスを作成し、前記キャンバス上にレイアウトされたデータを印刷装置に送信する際には前記各単位ページごとに該ページの左端が前記Ｘ座標軸上に、上端が前記Ｙ座標軸上に位置するようにスライドして印刷することが可能な情報処理装置。
【請求項２】
前記キャンバスは、前記単位ページで構成する各列はピクセル単位で左右方向の位置の調整が可能であり、前記単位ページで構成する各行はピクセル単位で上下方向の位置の調整が可能である請求項１記載の情報処理装置。
【請求項３】
使用する印刷装置に配置した用紙の紙送り方向の先頭部分を用紙の上辺とし、前記上辺に平行な方向を水平方向とし、水平方向を用紙幅、垂直方向を用紙長として、前記用紙の水平方向で長さＡを指定して作成した印刷データを前記印刷装置でフチなしで印刷した結果を実測値またはスキャナで読み取ったドット数で前記長さＡを除した比率を、前記用紙の幅を前記測定方法で測定した値に乗じた値を前記単位ページを構成する用紙幅の実際の寸法とし、前記用紙の垂直方向で長さＢを指定して作成した印刷データを前記印刷装置で印刷した結果を前記測定方法で測定した値で前記長さＢを除した比率を前記用紙の長さを前記測定方法で測定した値に乗じた値を前記単位ページを構成する用紙長の実際の寸法とする請求項１記載の情報処理装置。
【請求項４】
印刷装置のフチなしでの印刷解像度に、前記印刷装置の通常印刷の印刷解像度を前記フチなしでの印刷解像で除した比率を乗じることで、通常印刷とフチなしでの印刷の比率を同一とする請求項１記載の情報処理装置。
【請求項５】
同一データを通常印刷とフチなしで印刷した用紙から前記水平方向と前記垂直方向の印刷位置のズレを取得する請求項１記載の情報処理装置。
【請求項６】
用紙上端から一定距離の水平線と用紙左端から一定距離の垂直線の印刷データを通常印刷で印刷した用紙に、前記水平線と前記水平線から指定した量だけ垂直方向にずらした水平の目盛り線と前記垂直線と前記垂直線から指定した量だけ水平方向にずらした垂直の目盛り線を印刷可能とする請求項１記載の情報処理装置。
【請求項７】
用紙左端を越える水平線と前記水平線と用紙左辺との交点を通る、指定した角度の斜線をフチなしで印刷した用紙の左端における水平線と斜線の距離から求められる値を水平方向のズレとし、用紙上端を越える垂直線と前記垂直線と用紙上辺との交点を通る、指定した角度の斜線をフチなしで印刷した用紙の上端における垂直線と斜線の距離から求められる値を垂直方向のズレとして取得する請求項１記載の情報処理装置。
【請求項８】
通常印刷とフチなしでの印刷での用紙に対する印刷位置のズレの補正値を印刷データの座標データに加算することにより前記印刷位置のズレを解消する請求項５または請求項６または請求項７記載の情報処理装置。
【請求項９】
前記水平方向で長さＡを指定した印刷データを使用する印刷装置でフチなしで印刷した結果を、実測値またはスキャナで読み取ったドット数で前記長さＡを除した比率を、水平方向における用紙両端の長さを前記測定方法で測定した値に乗じた値を用紙幅の実際の寸法とし、前記垂直方向で長さＢを指定した印刷データを使用する印刷装置でフチなしで印刷した結果を、実測値またはスキャナで読み取ったドット数で前記長さＢを除した比率を、垂直方向における用紙両端の長さを前記測定方法で測定した値に乗じた値を用紙長の実際の寸法として取得可能な請求項１記載の情報処理装置。
【請求項１０】
上述の用紙において前記用紙左端に位置する点Ａと点Ａの水平線上にあり前記用紙右端に位置する点Ｂを含み、且つ印刷結果から点Ａと点Ｂを結ぶ線分の距離と角度を測定可能な画像と前記用紙上端に位置する点Ｃと点Ｃの垂直線上にあり前記用紙下端に位置する点Ｄを含み、且つ印刷結果から点Ｃと点Ｄを結ぶ線分の距離と角度を測定可能な画像をフチなしで印刷した用紙をスキャナの読み取り部に任意の角度で設置した状態で読み取った結果から前記用紙に印刷された前記点Ａと前記点Ｂの距離及び前記点Ｃと前記点Ｄの距離を測定可能な請求項９記載の情報処理装置。
【請求項１１】
印刷装置に備わった用紙サイズで構成した単位ページを、基準となるＸ座標軸から右方向に１枚以上及びＹ座標軸から下方向に１枚以上を隣接して配置したキャンバスを作成し、前記単位ページ１枚に収まるように左右方向に長さＡを指定した印刷データをフチなしで印刷した結果を、スキャナで読み取ったドット数で前記長さＡを除した値を比率Ａとし、前記単位ページ１枚に収まるように上下方向に長さＢを指定した印刷データをフチなしで印刷した結果を、スキャナで読み取ったドット数で前記長さＢを除した値を比率Ｂとし、左右方向に隣り合う２枚の結合部を跨いだ水平線と指定した角度Ａの前記結合部を跨いだ斜線をフチなしで印刷した水平線と斜線の左ページ右端での垂直距離と右ページ左端での垂直距離の差に比率Ａを乗じた値を直角三角形の高さとして角度Ａとの関係で得られる前記直角三角形の底辺の値を、使用した用紙と既定用紙の用紙幅の誤差とし、に比率Ａを乗じた値を直角三角形の高さとして角度Ａとの三角関数で求めた値を、使用した用紙と既定用紙の用紙幅の誤差とし、上下方向に隣り合う２枚の結合部を跨いだ垂直線と指定した角度Ｂの前記結合部を跨いだ斜線をフチなしで印刷した垂直線と斜線の上ページ下端での水平距離と下ページ上端での水平距離の差に比率Ｂを乗じた値を直角三角形の底辺として角度Ｂとの関係で得られる前記直角三角形の高さの値を、使用した用紙と既定用紙の用紙長の誤差として用紙寸法の取得を可能とする請求項１記載の情報処理装置。
【請求項１２】
印刷装置に備わった用紙サイズで構成した単位ページを、基準となるＸ座標軸から右方向に１枚以上及びＹ座標軸から下方向に１枚以上を隣接して配置したキャンバスを作成し、左右方向に隣り合う２枚の結合部を跨いだ水平線と指定した角度の前記結合部を跨いだ斜線と、前記キャンバスの上下方向に隣り合う２枚の結合部を跨いだ垂直線と指定した角度の前記結合部を跨いだ斜線を通常印刷と同比率になるようにフチなしで印刷することにより、角度Ａ及び角度Ｂから得られる比率による間隔の主目盛りと補助目盛りを印刷可能とする請求項１記載の情報処理装置。
【請求項１３】
印刷装置と通常印刷時及びフチなしでの印刷時の印刷解像度と用紙の実寸法の組み合わせごとに前記解像度と前記用紙の実寸法及び印刷位置調整値を取得して設定ファイルに登録し、文書作成時に該当の設定データを呼び出すことを可能とした請求項１記載の情報処理装置。
【請求項１４】
印刷装置に対して印刷指示を与えられる情報処理装置の制御方法であって、前記印刷装置に備わった用紙サイズを指定するが、印刷に使用する用紙の実際の寸法で単位ページを構成し、基準となるＸ座標軸から右方向に１枚以上及びＹ座標軸から下方向に１枚以上を隣接して配置したキャンバスを作成し、前記キャンバス上にレイアウトされたデータを印刷装置に送信する際には前記各単位ページごとに該ページの左端が前記Ｘ座標軸上に、上端が前記Ｙ座標軸上に位置するようにスライドして印刷データを作成することを特徴とする制御方法。
【請求項１５】
印刷装置に対して印刷指示を与えられる情報処理装置に搭載可能なプログラムであって、前記印刷装置に備わった用紙サイズを指定するが、印刷に使用する用紙の実際の寸法で単位ページを構成し、基準となるＸ座標軸から右方向に１枚以上及びＹ座標軸から下方向に１枚以上を隣接して配置したキャンバスを作成し、前記キャンバス上にレイアウトされたデータを印刷装置に送信する際には前記各単位ページごとに該ページの左端が前記Ｘ座標軸上に、上端が前記Ｙ座標軸上に位置するようにスライドして印刷データを作成することが可能なプログラム。
【発明の詳細な説明】
【技術分野】
【０００１】
本発明は、印刷装置の機能である、フチなしでの印刷を利用して用紙全面に印刷する際に、使用する用紙の実サイズに合わせた印刷データを印刷装置に送信することで、余白カットの手間をかけることなく正確なポスター印刷を可能とする技術に関するものである。
【背景技術】
【０００２】
印刷装置で通常の印刷をする場合は図１のように用紙端から一定の範囲は印刷されない。
【０００３】
印刷装置の機能としてコンピューター側のアプリケーションソフトから送信された一つのデータを複数枚の用紙に分割して印刷するポスター印刷の機能が存在する。
【０００４】
印刷装置の機能に依存することなく、一つのデータをアプリケーションソフト上で複数枚に分割して印刷装置に送信するポスター印刷の機能も存在する。
【０００５】
上記０００３及び０００４のポスター印刷では、図２のように用紙の周囲に印刷されない部分が生じる。そのために結合部の片方をのりしろにする場合ももう片方は前記印刷されない部分をカットする必要がある。のりしろを使わずに突き合わせる場合には結合部の両方をカットしなければならない。
【０００６】
インクジェット方式の印刷装置では用紙全面に印刷可能な機能がある。これをフチなしでの印刷と呼ぶことにする。
【０００７】
前記フチなしでの印刷では印刷装置によって印刷解像度を高めることにより印刷データが通常印刷時よりも拡大されて印刷される。そのため図３のように用紙の端のデータが印刷されずに欠損することがある。この例では用紙の周囲に配置した丸数字で用紙端に位置する丸の部分及び下辺においては数字の一部も欠損している。
【０００８】
前記フチなしでの印刷では印刷装置によって用紙に対する印刷位置が通常印刷時と異なる。そのため図４のように移動された側のデータが印刷されずに欠損することがある。
【０００９】
前記フチなしでの印刷を行う場合、実際に印刷される領域は規定の用紙サイズよりも上下・左右ともに数ミリ拡張された範囲となっている。そのため印刷装置で選択している用紙からはみ出すデータを前記用紙よりも大きい用紙に印刷した場合は図５のように規定の用紙サイズよりも上下・左右ともに数ミリ拡張された範囲のデータを印刷することが可能である。図５は上方が拡張されていないように見えるが縦方向の印刷開始位置を下方にずらすと拡張されていることがわかる。
【００１０】
印刷装置によっては前記フチなしでの印刷で０００３のポスター印刷の機能を有する。この機能を使って印刷した場合には用紙の周囲に印刷されない部分は生じない。（特許文献１）
【００１１】
００１０の印刷装置では実際の用紙寸法が設定上のサイズと一致している場合は図６のように正確に印刷することが可能である。しかし市販の用紙が全て規定のサイズとは限らないために用紙が規定サイズより短い場合は図７のように結合部分の一部が印刷されずに欠損する。用紙が規定サイズより長い場合は図８のように結合部分の一部が結合部分の左右または上下の用紙両方に印刷されてしまう。  
【特許文献１】特開２００２−３２１４２２
【発明の概要】
【発明が解決しようとする課題】
【００１２】
従来のポスター印刷では予め作成された印刷データを印刷時に分割することで実現している。そのために別途印刷データを作成するアプリケーションソフトを用いて印刷データを作成する必要がある。また印刷データを作成する時点では用紙の継ぎ目を正確に把握してデータを作成することが困難である。
【００１３】
フチなしでの印刷を使用しないポスター印刷では用紙の周囲に生じる印刷されない部分をカットする必要が生じる。
【００１４】
００１０の機能では用紙の端まで確実に印刷されるのでカットは不要である。しかし市販の用紙が全て規定の寸法と同一とは限らない。また同一梱包内であっても全ての枚数が同一寸法ではない場合がある。そのため図６のような結合を期待しても用紙が規定の寸法より短い場合は図７のように結合部分の一部が印刷されずに欠損する。用紙が規定の寸法より長い場合は図８のように結合部分の一部が結合部分の左右または上下の用紙両方に印刷されてしまう。
【００１５】
印刷装置のフチなしでの印刷機能で印刷した場合に印刷装置側で印刷位置が変えられる場合がある。
【００１６】
印刷装置のフチなしでの印刷機能で印刷した場合に印刷装置側で印刷解像度が変えられ、通常印刷時と印刷結果の比率が変わる場合がある。
【課題を解決するための手段】
【００１７】
以上に述べた課題を解決するために以下の方式を用いる。
【００１８】
請求項１の単位ページをポスター印刷に使用する用紙枚数分連結してキャンバスを作成する。その際にキャンバス左上に位置する前記単位ページの左上座標は、基本のＸ座標軸と基本のＹ座標軸の交点上となるように配置する。こうして作成したキャンバスに直接文字や画像等のデータがレイアウト可能となる方式とする。
【００１９】
前記キャンバスには前記各単位ページの区切りを表示することで、用紙の繋ぎ目を把握してのレイアウトが可能となる。
【００２０】
前記キャンバスを構成する前記各単位ページを印刷する際には該当ページの左上座標が基本のＸ座標軸と基本のＹ座標軸の交点上になるようにデータを前記単位ページの幅と長さ単位でスライドして送信するが、印刷装置に設定する用紙サイズは各単位ページのサイズではなく印刷装置が備える用紙サイズ種類の中で前記各単位ページに最も近いサイズに設定する。印刷に使用する用紙が前記印刷装置に設定した用紙よりも小さい場合にははみ出した印刷データは印刷装置によって処理され、逆に大きい場合には０００９で示したように一定の範囲内は印刷される。
【００２１】
印刷装置側での処理として、フチなしでの印刷では通常印刷と用紙に対しての印刷位置がずれる場合がある。このズレは印刷装置と使用する用紙の組み合わせごとに測定して登録しておき、００２０の印刷をフチなしでの印刷で行う場合には、通常印刷時とフチなしでの印刷時における印刷位置のズレの調整も行う。
【００２２】
００２１の印刷位置のズレの測定の第１の方法は、同一データを通常印刷とフチなしで印刷したそれぞれの用紙の左端から前記データの特定の一点までの水平距離の差を水平方向のズレとする。同様に前記それぞれの用紙の上端から前記データの特定の一点までの垂直距離の差を垂直方向のズレとする。
【００２３】
００２１の印刷位置のズレの測定の第２の方法は、用紙左端を越える水平線と前記水平線と用紙左辺との交点を通る指定した角度の斜線をフチなしで印刷した用紙の左端における水平線と斜線の距離を直角三角形の高さとした場合に、指定した角度との関係で求められる前記直角三角形の底辺を水平方向のズレとして取得する。
同様にして、用紙上端を越える垂直線と前記垂直線と用紙上辺との交点を通る指定した角度の斜線をフチなしで印刷した用紙の上端における垂直線と斜線の距離を直角三角形の底辺とした場合に、指定した角度との関係で求められる前記直角三角形の高さを垂直方向のズレとして取得する。
【００２４】
前記キャンバス作成時に前記単位ページで構成する２列目以降に位置する前記単位ページの左端位置を前記該当列の左の列に位置する前記単位ページの右端から指定量Ａだけ左方向ににスライドさせることで左右方向の用紙結合部において指定量Ａだけデータを重複して印刷することを可能としている。
同様に
前記キャンバス作成時に前記単位ページで構成する２行目以降に位置する前記単位ページの上端位置を前記該当行の上の行に位置する前記単位ページの下端から指定量Ｂだけ上方向ににスライドさせることで上下方向の用紙結合部において指定量Ｂだけデータを重複して印刷することを可能としている。
【００２５】
前記キャンバスを構成する単位ページの寸法と印刷に使用する用紙の寸法に誤差があると用紙繋ぎ目においてデータの欠損や重複が生じるので、用紙寸法の誤差を調整しての印刷を可能としている。
【００２６】
同一設定のデータを変更することなく通常の印刷とフチなしでの印刷で印刷し水平方向及び垂直方向におけるズレを測定して登録することにより、印刷位置のズレの解消を行っている。
【００２７】
フチなしでの印刷を行う際は、事前に取得している通常印刷時の印刷解像度とフチなしでの印刷時の解像度の比率を用いて印刷解像度を調整することにより、フチなしでの印刷と通常印刷での印刷比率を変化させないようにしている。
【００２８】
フチなしでの印刷は全て００２７の方法を用いて通常印刷時と印刷比率を変化させずに行う。
【００２９】
上述の印刷位置の修正情報や通常印刷時の印刷解像度及び用紙の規定サイズと印刷に使用する用紙との寸法の誤差情報は印刷装置の識別名と印刷に使用する用紙サイズ及びはみ出し量や印刷品質とともに登録しておき、００１８のキャンバス作成時に呼びだして設定する。
【００３０】
００２９の用紙の寸法の誤差は印刷に使用する印刷装置と使用する用紙の組み合わせごとに用紙の寸法を測定して登録しておく。
【００３１】
上記用紙寸法を測定する第１の課題解決手段は
水平線上に位置する２点間の長さを指定してフチなしで印刷した結果を実測値またはスキャナで読み取ったドット数と前記指定した長さから求めた比率を、用紙の水平方向での端から端までの長さを前記測定方法で測定した値に乗じて求め、
垂直線上に位置する２点間の長さを指定してフチなしで印刷した結果を実測値またはスキャナで読み取ったドット数と前記指定した長さから求めた比率を、用紙の垂直方向での端から端までの長さを前記測定方法で測定した値に乗じて求める。
【００３２】
請求項１０の用紙が、使用するスキャナで読み取り可能な最大サイズの場合でも前記点Ａ・前記点Ｂ・前記点Ｃ・前記点Ｄを確実に読み取り可能とするために、前記点Ａは前記用紙の左辺の中点に、前記点Ｃは前記用紙の上辺の中点に近い位置が望ましい。
この時点では用紙の寸法を取得していないことから用紙端に単独の点を印刷することは困難である。そのために用紙内から用紙左端まで確実に印刷される水平線と前記水平線上に位置し、用紙内から用紙右端まで確実に印刷される水平線および用紙内から用紙上端まで確実に印刷される垂直線と前記垂直線上に位置し、用紙内から用紙下端まで確実に印刷される垂直線を印刷して用紙端を判断する方式が望ましい。
【００３３】
前記用紙をスキャナの読み取り部にセットする際には、用紙を斜めにセットしなければならないので、そのためのガイドとなる線または点を印刷して前記読み取り部分に合致する長方形を形成する方式が望まれる。なお前記線または前期点を利用して切り取りあるいは折り曲げることによって前記長方形を容易に認識することが可能となる
【００３４】
具体的には同一用紙サイズ種類の用紙Ａと用紙Ｂを中心点を揃えて重ね、用紙Ｂの長辺と平行な用紙Ｂの中心線が用紙Ａの対角線の一方と重なるように用紙Ｂを中心点で回転させた状態で、用紙Ｂの各辺と用紙Ａが重なる直線上に斜線Ａ・斜線Ｂ・斜線Ｃ・斜線Ｄを用紙Ａに印刷することで前記長方形を形成する方式を取っている。
【００３５】
００２９の用紙寸法を測定する第２の課題解決手段は、規定サイズの用紙を横方向に２枚を連結したキャンバスにおいて、横方向に隣り合う２枚の結合部を跨いだ水平線と前記結合部を跨いだ指定した角度の斜線を測定対象の用紙にフチなしで印刷して測定シートとする。前記測定シートの結合部における用紙端での水平線と斜線のそれぞれの距離の差から横方向での規定サイズの用紙寸法との誤差を求める。
同様にして規定サイズの用紙を縦方向に２枚を連結したキャンバスにおいて、縦方向に隣り合う２枚の結合部を跨いだ垂直線と前記結合部を跨いだ指定した角度の斜線を測定対象の用紙にフチなしで印刷して測定シートとする。前記測定シートの結合部における用紙端での垂直線と斜線のそれぞれの距離の差から縦方向での規定サイズの用紙寸法との誤差を求める。
【００３６】
００２９の用紙寸法を測定する第３の課題解決手段は、００３５の測定シートに定規等を使用せずに目視で誤差を測定できる目盛りを印刷するものである。
【００３７】
００３５の第２の解決手段及び００３６の第３の解決手段の望ましい印刷方法は、横方向に隣り合う２枚の結合部を跨いだ斜線と水平線のデータと、前記斜線と水平線を用紙幅分だけ左方向にスライドさせた位置に複製したデータの両方を１枚の用紙に印刷して用紙幅の誤差の測定シートとする方法である。目視での誤差の読み取りの際はシートを左右に分割して両側の斜線が一直線になるように突き合わせて行う。
同様にして縦方向に御隣り合う２枚の結合部を跨いだ斜線と垂直線のデータと、前記斜線と垂直線を用紙長分だけ上方向にスライドさせた位置に複製したデータの両方を１枚の用紙に印刷して用紙長の誤差の測定シートとする。目視での誤差の読み取りの際はシートを上下に分割して両側の斜線が一直線になるように突き合わせて行う。
【００３８】
００３７の方法を用いることにより、用紙幅及び用紙長の誤差測定シートをそれぞれ２枚に分けて印刷する場合に予測される印刷装置の紙送り等による１枚目と２枚目の印刷位置のズレの問題及び、１枚目と２枚目の用紙寸法に違いがある場合の問題を解消することが可能になる。
【００３９】
００３７の方法は用紙幅の誤差測定シートと用紙長の誤差測定シートの両方を１枚の用紙に印刷することが可能である。その場合は用紙の対角線に近い位置で分割することにより、用紙の垂直方向の辺同士を突き合わせることで用紙幅の誤差を、用紙の水平線方向の辺同士を突き合わせることで用紙長の誤差を測定する。
【００４０】
００２３の印刷位置の横方向のズレ及び００３７の用紙幅の誤差測定シートを１枚の用紙に同時に印刷ことで００２３の目視で誤差を測定できる目盛りを共通のものとすることが可能となる。
同様にして印刷位置の縦方向のズレ及び用紙長の誤差測定シートも１枚の用紙に同時に印刷ことで目視で誤差を測定できる目盛りを共通のものとすることが可能となる。
さらに上述の２枚の用紙を１枚にまとめて同時に印刷することで用紙及び印刷に要する時間を節約することも可能となる。
【発明の効果】
【００４１】
ポスター印刷に使用する用紙枚数を基本の用紙サイズを連結して作成したキャンバスに直接文字や画像等のデータをレイアウト可能としているので印刷データを作成するためのアプリケーションソフトを必要としない。また用紙の継ぎ目を意識したレイアウトが可能である。
【００４２】
フチなしでの印刷でポスター印刷を行った場合には印刷されない部分が生じないためにカットの手間が省ける。
【００４３】
用紙寸法の誤差に対応しているのでより高い精度での結合が可能となる。
【００４４】
用紙寸法の誤差の取得にスキャナを用いる場合は、測定者の判断に左右されることなく正確な測定が可能となる。
【００４５】
目視で誤差を測定できる目盛りを印刷する方式では、スキャナや定規等の道具を用いることなく高精度で用紙寸法の取得が可能となる。
【図面の簡単な説明】
【００４６】
【図１】通常印刷時における用紙の周囲に印刷されない部分（グレーの内部が用紙部分）
【図２】通常のポスター印刷では用紙の周囲に印刷されない部分が生じる例
【図３】フチなしでの印刷で通常印刷時よりデータが拡大されて欠損する部分が生じる例
【図４】フチなしでの印刷で拡大はされずに印刷位置が左方と上方移動している例
【図５】規定サイズより大きい用紙に印刷した例。左と右と下の直線が規定のサイズ
【図６】設定上の用紙サイズと実際の用紙サイズが一致している場合の印刷例
【図７】実際の用紙サイズが狭いために一部分が欠損している例
【図８】実際の用紙サイズが広いために一部分が重複して印刷されている例
【図９】キャンバス作成の流れ
【図１０】横２枚×縦２枚のでのキャンバスの作成例
【図１１】単位ページを印刷する場合の印刷データのシフト例
【図１２】印刷の流れ
【図１３】００５２の印刷位置のズレ測定の第２の方法の印刷データ
【図１４】００５２の印刷データが左方向にずれて印刷された場合
【図１５】００５５の第１の課題解決手段の水平線と垂直線
【図１６】００５９の対の垂直線と対の水平線
【図１７】００６０の斜線
【図１８】スキャナへの原稿のセット方法
【図１９】００６２の第２の課題解決手段の水平線と垂直線
【図２０】規定サイズよりも幅の狭い用紙の場合にデータの欠損が起こる例
【図２１】規定サイズよりも幅の広い用紙の場合にデータの重複が起こる例
【図２２】００６２の第２の課題解決手段測定シート
【図２３】００６２の測定シート１と測定シート２を１枚に印刷
【図２４】００６２の測定シート１と測定シート３を１枚に印刷
【図２５】００６８の２枚のシートを１枚に印刷
【図２６】スキャナを使ってのカット不要印刷の新規登録の流れ
【図２７】目視でのカット不要印刷の新規登録の流れ
【図２８】印刷位置と用紙寸法誤差の測定シートを１枚に印刷する新規登録の流れ
【図２９】カット不要印刷のキャンバス作成の流れ
【図３０】印刷位置調整シートの印刷例
【図３１】印刷位置調整シートの目盛り線及び目盛り補助線の印刷例
【図３２】実際にハガキサイズに印刷した測定シート１
【図３３】実際にハガキサイズに印刷した測定シート２
【図３４】実際にハガキサイズに印刷した測定シート３
【図３５】実際にハガキサイズに印刷した幅の誤差の読み取り例
【図３６】測定シートの目盛り線及び目盛り補助線の印刷例
【図３７】測定シートの目盛り線及び目盛り補助線の印刷例での読み取り例
【図３８】印刷位置のズレと用紙寸法の誤差を１枚の用紙に印刷した例
【発明を実施するための形態】
【００４７】
以下、本発明のフチなしでの印刷を用いたポスター印刷の実施の形態をコンピュータープログラムで説明する。
【００４８】
キャンバスの作成は図９の流れとなる。実際には登録データの用紙幅に横方向の枚数を、前記用紙長に縦方向の枚数を乗じてキャンバスの寸法を求める。
【００４９】
図１０は前記キャンバスにおける単位ページのイメージ図である。各単位ページの印刷時は図１１のように印刷対象の単位ページをスライドした印刷データを印刷装置に送信する。
【００５０】
印刷は図１２の流れとなる。
【００５１】
通常印刷とフチなしでの印刷での印刷位置のズレを測定するために水平線と垂直線を同一の用紙に印刷して水平線同士の垂直方向及び垂直線同士の水平方向の距離を測定し、フチなしでの印刷時には印刷データをその距離分だけスライドする。
【００５２】
００２３の印刷位置のズレの測定の第２の方法で、水平方向のズレを測定する水平線と斜線のの印刷データと用紙の関係は図１３のようになる。
【００５３】
００５２のデータが左方向にずれて印刷された場合は図１４のようになり、用紙左端における水平線と斜線の垂直距離から水平方向のズレを求める。
【００５４】
印刷装置の解像度は通常での印刷及びフチなしでの印刷それぞれの設定状態で取得可能である。そのために通常での印刷設定状態での解像度を登録することによって、フチなしでの印刷時にも通常での印刷の解像度を得ることが可能となる。フチなしでの印刷時に拡大される場合にはコンピュータプログラムによって拡大を打ち消すように縮小している。
【００５５】
上記用紙寸法を測定する第１の課題解決手段を最も単純な方法で説明する。
長さを指定した水平線（図１５−３Ａ）をフチなしで印刷した結果をスキャナで読み取ったドット数と、前記指定した長さとの比率を求める。
【００５６】
用紙左端から右端まで確実に印刷されるように、用紙左端を左方向に超え且つ用紙右端を右方向に超えた水平線（図１５−４Ａ）をフチなしで印刷した結果をスキャナで読み取ったドット数に００５５の比率を乗じた値を用紙幅とする。
【００５７】
同様に長さを指定した垂直線（図１５−３Ｂ）をフチなしで印刷した結果をスキャナで読み取ったドット数と、前記指定した長さとの比率を求める。
【００５８】
用紙上端から下端まで確実に印刷されるように、用紙上端を上方向に超え且つ用紙下端を下方向に超えた垂直線（図１５−４Ｂ）をフチなしで印刷した結果をスキャナで読み取ったドット数に００５７の比率を乗じた値を用紙長とする。
【００５９】
００５５の水平線と００５７の垂直線は図１６の３Ｃと３Ｄのように２点間の距離が特定できる対のデータとすることもできる。
【００６０】
図１７が００３４の斜線Ａ・斜線Ｂ・斜線Ｃ・斜線Ｄの印刷例で、スキャナへのセットは図１８のようになる。
【００６１】
上記第１の課題解決手段を実施するに当たっては、００５５の水平線と００５７の垂直線は００５１のフチなしで印刷する際に同時に印刷することで印刷回数を減らすことが可能となる。
【００６２】
上記用紙寸法を測定する第２の課題解決手段は、規定サイズの用紙を縦方向に２枚以上と横方向に２枚以上を連結したキャンバスにおいて、横方向に隣り合う２枚の結合部を跨いだ水平線Ａ（図１９−８）と前記結合部を跨いだ指定した角度Ａの斜線Ａ（図１９−９）と、前記キャンバスの縦方向に隣り合う２枚の結合部を跨いだ垂直線Ｂ（図１９−１０）と前記結合部を跨いだ指定した角度Ｂの斜線Ｂ（図１９−１１）をフチなしでの印刷で印刷した３枚の測定シートを用いて行う。前記測定シートは、前記キャンバス左上のページを測定シート１、前記キャンバス右上のページを測定シート２、キャンバス左下のページを測定シート３とする。
【００６３】
測定シートを印刷した用紙の幅が規定サイズより狭い場合は図２０のようにデータの欠損が生じる。また用紙の幅が広い場合には図２１のようにデータが重複する。この場合には欠損または重複している部分の垂直距離から欠損または重複の幅を算出する。
【００６４】
００６２の測定シート１の水平線（図２２−８Ａ）の右端と斜線（図２２−９Ａ）の右端との垂直距離と００６２の測定シート２の水平線（図２２−８Ｂ）の左端と斜線（図２２−９Ｂ）の左端との垂直距離の差を求める。
【００６５】
００６４の垂直距離の差を直角三角形の高さとし、００６２の角度Ａを用いて底辺の長さを求め、００５５の横方向の比率で用紙幅の誤差を求める。
【００６６】
００６２の測定シート１の垂直線（図２２−１０Ａ）の下端と斜線（図２２−１１Ａ）の下端との水平距離と００６２の測定シート２の垂直線（図２２−１０Ｂ）の上端と斜線（図２２−１１Ｂ）の上端との水平距離の差を求める。
【００６７】
００４１の水平距離の差を直角三角形の底辺の長さとし、００６２の角度Ｂを用いて高さを求め、００５７の縦方向の比率で用紙長の誤差を求める。
【００６８】
００６２の測定シート１と測定シート２は、図２３のように１枚に印刷することが望ましい。同様に００６２の測定シート１と測定シート３は、図２４のように１枚に印刷することが望ましい。
【００６９】
００６８の２枚の測定シートは、図２５のように１枚に印刷することが可能である。１枚に印刷することで用紙の無駄を省き印刷時間を節約することが可能となる。
【００７０】
００２９の用紙寸法を測定する第３の課題解決手段は、００６２の測定シートに定規等を使用せずに目視で誤差を測定できる目盛りを印刷するものである。
【００７１】
００７０の目盛りは００２３の方法で印刷位置のズレを測定する方法と共有することが可能である。
【００７２】
測定したい間隔（１ミリ間隔や２ミリ間隔等）に００５５の横方向での比率を乗じた値を印刷目盛り間隔Ａとし、００６２の測定シート１の水平線（図２２−８Ａ）の上方及び下方に前記印刷目盛り間隔Ａで任意の本数の水平線を前記測定シート１の用紙右端まで印刷し、これを主目盛りＡとする。
【００７３】
００６２の測定シート１と測定シート２を、前記測定シート１の斜線（図２２−９Ａ）と前記測定シート２の斜線（図２２−９Ｂ）が一直線となるように隙間なくかつ重ならないように密着させた状態で、前記測定シート１の主目盛りＡを前記測定シート２の水平線（図２２−８Ｂ）が指す位置を読み取ることで用紙幅の誤差を取得するものである。
【００７４】
００６２の測定シート１と測定シート２を、００６８の方法で１枚に印刷した場合は、左右に分割した右側が測定シート１の、左側が測定シート２の役割を果たす。
【００７５】
上記の読み取り方法の精度を高めるために、００６２の測定シート２の上方または下方に００７２の印刷目盛り間隔Ａの１．１倍の間隔で１０本の水平線を前記測定シート２の左端まで印刷し、これを補助目盛りＡとする。その際には００７２の主目盛りＡは前記補助目盛りＡと同方向に１０本以上追加されているものとする。
【００７６】
００７３の読み取り時に、００７２の主目盛りＡと００７５の補助目盛りＡが一致する位置を読み取ることで００７２の印刷目盛り間隔Ａの１／１０の精度での読み取りを可能とする。
【００７７】
測定したい間隔（１ミリ間隔や２ミリ間隔等）に００５７の縦方向での比率を乗じた値を印刷目盛り間隔Ｂとし、００６２の測定シート１の垂直線（図２２−１０Ａ）の左方及び右方に前記印刷目盛り間隔Ｂで任意の本数の垂直線を前記測定シート１の用紙下端まで印刷し、これを主目盛りＢとする。
【００７８】
００６２の測定シート１と測定シート３を、前記測定シート１の斜線（図２２−１１Ａ）と前記測定シート３の斜線（図２２−１１Ｂ）が一直線となるように隙間なくかつ重ならないように密着させた状態で、前記測定シート１の主目盛りＢを前記測定シート３の垂直線（図２２−１０Ｂ）が指す位置を読み取ることで用紙長の誤差を取得するものである。
【００７９】
００６２の測定シート１と測定シート３を、００６８の方法で１枚に印刷した場合は、上下にに分割した下側が測定シート１の、上側が測定シート３の役割を果たす。
【００８０】
上記の読み取り方法の精度を高めるために、００６２の測定シート３の左方または右方に００７７の印刷目盛り間隔Ｂの１．１倍の間隔で１０本の垂直線を前記測定シート３の上端まで印刷し、これを補助目盛りＢとする。その際には００７７の主目盛りＢは前記補助目盛りＢと同方向に１０本以上追加されているものとする。
【００８１】
００７８の読み取り時に、００７７の主目盛りＢと００８０の補助目盛りが一致する位置を読み取ることで００７７の印刷目盛り間隔Ｂの１／１０の精度での読み取りを可能とする。
通常印刷とフチなしでの印刷位置のズレ及び印刷に使用する用紙と規定サイズとの誤差をスキャナを用いて一度に登録する手順は図２６の流れとなる。具体的には前記プログラムに登録している用紙サイズ種類（Ａ４やＢ４等）をリスト表示して選択を促す。前記コンピューターに印刷装置が複数登録されている場合には印刷装置もリスト表示して選択を促す。この組み合わせでフチなしでの印刷が可能かどうかのメッセージを表示して確認する。
【００８２】
次に通常印刷時とフチなしでの印刷時の印刷位置のズレを測定するための００５１の水平線及び垂直線を通常の印刷で印刷し測定シートとする。その際に通常での印刷解像度も取得する。続いて前記測定シートを再度印刷装置にセットし、前記水平線及び垂直線と用紙の寸法を測定するための００５６の水平線及び００５８の垂直線、さらに００３４の斜線をフチなしでの印刷で印刷する。
【００８３】
前記測定シートを００６０の斜線を利用する方法でスキャナにセットして読み取る。
【００８４】
前記で読み取った画像ファイルを読み込んで、印刷位置のズレと用紙の寸法をコンピュータープログラムで解析する。
【００８５】
使用する用紙が区別できる名称の入力画面を表示し、入力されて名称と００８４の結果及び必要事項とともに登録する。
【００８６】
目視での登録の手順
印刷に使用する用紙と規定サイズとの誤差を目視で取得して登録する場合の手順は図２７の流れとなる。具体的には前記プログラムに登録している用紙サイズ種類（Ａ４やＢ４等）をリスト表示して選択を促す。前記コンピューターに印刷装置が複数登録されている場合には印刷装置もリスト表示して選択を促す。この組み合わせでフチなしでの印刷が可能かどうかのメッセージを表示して確認する。
【００８７】
次に通常印刷時とフチなしでの印刷時の印刷位置のズレを測定するために特定の範囲が同一位置に設定されたデータを同一用紙に通常印刷とフチなしでの印刷の両方で印刷する。この２回の印刷時にそれぞれの印刷解像度を取得しメモリに保持しておく。フチなしでの印刷では用紙の上下左右の端まで印刷できているかを確認するメッセージを表示し、問題がなければ次に進む。
【００８８】
００８７のデータは紙送り方向に対しての水平線と垂直線が望ましいが、特定範囲の印刷結果から水平及び垂直方向のズレが測定可能であれば形状は問わない。またフチなしでの印刷の際は用紙の上下左右全ての端まで確実に印刷されるように設定したデータを印刷する。
【００８９】
続いて印刷に使用した用紙と規定サイズとの誤差の測定シートを００７０の第３の課題解決手段を用いて印刷する。
【００９０】
００８７のズレの測定シートの読み取り結果を入力する画面を表示する。入力が完了したら、００８９の誤差測定シートの読み取り結果を入力する画面を表示する。入力が完了したら、使用する用紙が区別できる名称の入力画面を表示する。入力が完了したら、取得した情報を登録する。この作業は用紙サイズ種類・印刷装置・はみ出し量の設定値・使用する用紙の名称の組み合わせごとに一度だけ行う。
【００９１】
００２３の方法で印刷位置のズレを測定するシートと、００６２の測定シート及び００７０の目盛りを全て１枚の用紙に印刷する場合は、図２８の流れとなる。この場合はフチなしでの印刷の前に通常での印刷に設定して、通常での印刷の印刷解像度の取得だけを行っておく。
【００９２】
ポスター印刷設定は図２９の流れとなる。縦の枚数×横の枚数を指定し、フチなしでの印刷を行う場合には登録済みのデータより００９０の登録情報より用紙サイズ種類・印刷装置・はみ出し量の設定値・使用する用紙の名称の組み合わせを選択させる。
【００９３】
上記で指定された縦の枚数×横の枚数を連結したキャンバスを、使用する用紙の実サイズで作成し文字や画像等をレイアウトできる環境を提供する。レイアウトに際しては前記キャンバスの領域を超えてのレイアウトも可能とする。
【００９４】
次に定規等を用いずに目視で行う場合の印刷位置調整シートについて説明する。図３０はハガキサイズの場合の印刷位置調整シートを実際に印刷したものである。
【００９５】
図３１は図３０の左右位置の読み取り用の目盛りを取り出している。１２Ａは通常での印刷である。これを位置を変えずに長さだけを用紙端まで印刷できるように延長してフチなしでの印刷で印刷したのが１２Ｂである。どちらも同じ用紙に印刷している。この両者の間隔がズレである。
【００９６】
図３１の１４Ａは１３Ａと１３Ｂの間隔を読み取るための目盛りである。１３Ｂから右方向に１ミリ間隔で１０本の垂直線を印刷データとして作成し、それを下方向に９回コピーしている。その際に１４Ｂは１４Ａより０．１ミリ右に、１４Ｃは１４Ａより０．２ミリ右に移動している。以下同様の処理をして作成した１４Ｊまでの目盛りを補助目盛りとする。これをフチなしでの印刷で印刷する。
【００９７】
図３１の１３Ａの位置を１４Ａの位置で見て整数部を読み取り、１３Ａと１４Ａから１４Ｊまでの１０のグループの補助目盛りの目盛り線のどれかと一致または最も近い位置を探して小数部を読み取る。１４Ｂは０．１で、１４Ｃは０．２、１４Ｊが０．９となる。この小数部を整数部に加えることで印刷位置の調整値を取得する。
【００９８】
００７０の第３の課題解決手段の測定シートを図３２、測定シート２を図３３、測定シート３を図３４のように、幅測定用の斜線の角度は１５０度、長さ測定用の斜線の角度は３０度の場合を例に説明する。図３２、図３３、図３４は本発明の印刷方法によりハガキサイズに印刷したものであり、誤差がプラスの場合とマイナスの場合のどちらにも対応した目盛り数字を付加したものである。
【００９９】
図３５は幅の誤差を読み取るために、前記測定シート１と測定シート２を斜線が一直線になるようにして並べたものである。
【０１００】
００９８の測定シートの誤差読み取り用目盛りの作成方法の基本部分を用紙幅を例に００９８の測定シート１と測定シート２を用いて説明する。
【０１０１】
図３６は測定シート１と測定シート２の結合部分である。これは誤差がない場合の例である。測定シート１の８Ａの水平線を基準として下方に２ミリ間隔で３本の水平線を用紙右端まで印刷されるように作成する。続いて上方向に同じく２ミリ間隔で１４本作成する。これを主目盛り線とする。
【０１０２】
次に補助目盛り線を測定シート２の８Ｂを基準として上方に２．２ミリ間隔で１０本を用紙の左端まで印刷されるように作成する。
【０１０３】
図３７は読み取りの例である。
９Ａと９Ｂが一直線になるように測定シート１と測定シート２を隙間なくかつ重なることなく並べた場合の８Ａと８Ｂの垂直距離は、０１０１で作成した主目盛り線を８Ｂが指す位置で整数部の読み取りが可能となる。
【０１０４】
図３７のように０１０１の主目盛り線と０１０２の補助目盛り線とが一致する位置が小数部となる。０１０３で読み取った整数部と前記の小数部を加算した値が用紙幅の誤差となる。
【０１０５】
同様にして長さの目盛り線と補助目盛り線を作成する。
【０１０６】
００２３の印刷位置のズレの測定の第２の方法と００２８の用紙寸法を測定する第３の課題解決手段の測定シートをメモリを共有して１枚の用紙に印刷した場合は図３８のようになる。
【符号の説明】
【０１０７】
１  キャンバスの基準となるＸ座標軸
２  キャンバスの基準となるＹ座標軸
３Ａ  長さを指定した水平線
３Ｂ  長さを指定した垂直線
３Ｃ  水平方向の間隔の長さを指定した対の垂直線
３Ｄ  垂直方向の間隔の長さを指定した対の水平線
４Ａ  用紙左端から右端まで印刷される水平線
４Ｂ  用紙上端から下端まで印刷される垂直線
５Ａ  ００３４の用紙Ａ
５Ｂ  ００３４の用紙Ｂ
６Ａ  ００６０の斜線Ａ
６Ｂ  ００６０の斜線Ｂ
６Ｃ  ００６０の斜線Ｃ
６Ｄ  ００６０の斜線Ｄ
７  スキャナ原稿読取り部の読み取り範囲
８  左右に隣接した用紙を跨いだ水平線
９  左右に隣接した用紙を跨いだ斜線
１０  上下に隣接した用紙を跨いだ垂直線
１１  上下に隣接した用紙を跨いだ斜線
８Ａ  ８の水平線の測定シート１に印刷された部分
８Ｂ  ８の水平線の測定シート２に印刷された部分
９Ａ  ９の斜線の測定シート１に印刷された部分
９Ｂ  ９の斜線の測定シート２に印刷された部分
１０Ａ  １０の垂直線の測定シート１に印刷された部分
１０Ｂ  １０の垂直線の測定シート３に印刷された部分
１１Ａ  １１の斜線の測定シート１に印刷された部分
１１Ｂ  １１の斜線の測定シート３に印刷された部分
１２Ａ  通常印刷で印刷した水平線
１２Ｂ  １２Ａと同じ位置で用紙左右端まで延長してフチなしでの印刷で印刷した水平線
１３Ａ  通常印刷で印刷した垂直線
１３Ｂ  １３Ａと同じ位置で用紙上下端まで延長してフチなしでの印刷で印刷した垂直線
１４Ａ  １３Ｂの位置からの目盛り補助線
１４Ｂ  １３Ｂの位置から０．１ミリ右に寄った目盛り補助線
１４Ｃ  １３Ｂの位置から０．２ミリ右に寄った目盛り補助線
１４Ｊ  １３Ｂの位置から０．９ミリ右に寄った目盛り補助線
１５Ａ  ８Ａから下に２ミリ間隔の目盛り線
１５Ｂ  ８Ａから下に４ミリ間隔の目盛り線
１５Ｃ  ８Ａから下に６ミリ間隔の目盛り線
１６Ａ  ８Ａから上に２ミリ間隔の目盛り線
１６Ｋ  ８Ａから上に２２ミリ間隔の目盛り線
１６Ｎ  ８Ａから上に２８ミリ間隔の目盛り線
１７Ａ  ８Ｂから上に２．２ミリ間隔の目盛り補助線
１７Ｆ  主目盛り線と補助目盛り線の一致点
１７Ｊ  ８Ｂから上に２２ミリ間隔の目盛り補助線
【図１】
2018176560.tif 000003
【図２】
2018176560.tif 000004
【図３】
2018176560.tif 000005
【図４】
2018176560.tif 000006
【図５】
2018176560.tif 000007
【図６】
2018176560.tif 000008
【図７】
2018176560.tif 000009
【図８】
2018176560.tif 000010
【図９】
2018176560.tif 000011
【図１０】
2018176560.tif 000012
【図１１】
2018176560.tif 000013
【図１２】
2018176560.tif 000014
【図１３】
2018176560.tif 000015
【図１４】
2018176560.tif 000016
【図１５】
2018176560.tif 000017
【図１６】
2018176560.tif 000018
【図１７】
2018176560.tif 000019
【図１８】
2018176560.tif 000020
【図１９】
2018176560.tif 000021
【図２０】
2018176560.tif 000022
【図２１】
2018176560.tif 000023
【図２２】
2018176560.tif 000024
【図２３】
2018176560.tif 000025
【図２４】
2018176560.tif 000026
【図２５】
2018176560.tif 000027
【図２６】
2018176560.tif 000028
【図２７】
2018176560.tif 000029
【図２８】
2018176560.tif 000030
【図２９】
2018176560.tif 000031
【図３０】
2018176560.tif 000032
【図３１】
2018176560.tif 000033
【図３２】
2018176560.tif 000034
【図３３】
2018176560.tif 000035
【図３４】
2018176560.tif 000036
【図３５】
2018176560.tif 000037
【図３６】
2018176560.tif 000038
【図３７】
2018176560.tif 000039
【図３８】
2018176560.tif 000040